(57)【要約】【課題】  従来、プラスチック樹脂性磁石にエラストマーを配合した樹脂を使って形成された回転磁石よりなる回転子は、その材質の点において強度が弱く、回転による振動及び騒音が問題となる。【解決手段】  エラストマー配合プラスチック樹脂性磁石を用いて回転磁石を成形する際、回転子鉄心を一体に埋め込んで成形する。この回転子鉄心の形状は軸線に交差する方向へ等配に突起を形成し、この突起の数は５以上の素数とする。【選択図】  図３
2011015453.tif 000002
【特許請求の範囲】
【請求項１】
回転軸にプラスチック樹脂性磁石により一体に形成した回転子磁石よりなるブラシレスモータ用回転子において、
前記プラスチック樹脂性磁石はエラストマーが配合されたものであり、
前記回転軸に鋼板を積層した回転子鉄心を嵌着し、前記磁性材料により完全に覆って一体に形成されたことを特徴とするブラシレスモータ用回転子。
【請求項２】
前記回転子鉄心は、軸線に交差する方向へ、等配に突起を形成したことを特徴とする請求項１記載のブラシレスモータ用回転子。
【請求項３】
前記回転子鉄心の突起は、５以上の素数の等配とする請求項２記載のブラシレスモータ用回転子。
【発明の詳細な説明】
【技術分野】
【０００１】
本発明は、プラスチック樹脂性磁石にて形成されたブラシレスモータ用回転子に関するものである。
【背景技術】
【０００２】
従来、ブラシレスモータ等に使われる回転磁石１０としてプラスチック樹脂に磁性粉を配合したプラスチック樹脂性磁石がよく用いられているが、さらにこのプラスチック樹脂性磁石にエラストマーなどの弾性樹脂を配合し、この樹脂により回転磁石を形成したことを特徴とするブラシレスモータ用回転子（特許文献１参照）は、従来から知られている。
【０００３】
特許文献１には別の構成として、電磁鋼板を積層した円筒状の回転子鉄心の外周にプラスチック樹脂性磁石で円筒状に一体に形成する構成のブラシレスモータ用回転子も記載されている。
【０００４】
上記構成のようなブラシレスモータ用回転子であると、プラスチック製の樹脂のみ配合した磁石で成形したものよりも粘度が高いため、成形後の回転磁石の欠けを減らすことができる。
【先行技術文献】
【特許文献】
【０００５】
【特許文献１】特開２００４−２８２９１０号公報
【発明の概要】
【発明が解決しようとする課題】
【０００６】
上記従来の回転磁石は、プラスチック樹脂よりも弾性力は高いが強度の低いエラストマーを配合しているため、回転子が回転するときの力に弱く、振動や騒音が発生したり、スムーズな回転に影響を及ぼしたりする。特に高速回転の必要な用途や強いトルクの必要な用途では影響が顕著となる。
【０００７】
また、このような回転磁石の製造方法は、射出成形用金型の内を液状のプラスチック樹脂性磁石で満たし、金型に設けられた磁石により着磁するというものである。そして、このエラストマー配合プラスチック樹脂性磁石は、プラスチック樹脂やエラストマー以外にマグネットの原材料である磁性鉄粉が含まれている。そのため、上記金型内磁石にて着磁すると上記磁性鉄粉が磁石側へと寄り、磁石側には鉄系成分が、反対側にはプラスチック樹脂あるいはエラストマーが集まり、成形後に偏りが生じるようになる。
【０００８】
このような磁性鉄粉の偏りは、回転磁石の外側は強固であるが、内側はエラストマーの多い比較的強度の弱い部分となり、磁気的なアンバランスによる振動が発生する問題があった。特にエラストマーを加えることで、プラスチック製樹脂のみで形成するよりも強度的に弱くなるためこのような問題が顕著となっていた。
【０００９】
本発明は、エラストマーを配合したプラスチックマグネットを用いて回転磁石を成形する方法において、上記従来の問題に対して解決する方法を提供する。
【課題を解決するための手段】
【００１０】
請求項１の発明は、回転軸にプラスチック樹脂性磁石により一体に形成した回転子磁石よりなるブラシレスモータ用回転子において、前記プラスチック樹脂性磁石はエラストマーが配合されたものであり、前記回転軸に鋼板を積層した回転子鉄心を嵌着し、前記磁性材料により完全に覆って一体に形成されたことを特徴とするブラシレスモータ用回転子である。
【００１１】
請求項２の発明は、前記回転子鉄心は、軸線に交差する方向へ、等配に突起を形成したことを特徴とする請求項１記載のブラシレスモータ用回転子である。
【００１２】
請求項３の発明は、前記回転子鉄心の突起は、５以上の素数の等配とする請求項２記載のブラシレスモータ用回転子である。
【発明の効果】
【００１３】
本発明のブラシレスモータ用回転子は、エラストマーを配合したプラスチック樹脂性磁石を用いることにより、成形後の欠けの少ない製品を提供することができ、また、エラストマー配合プラスチック樹脂性磁石を用いたことによる回転子鉄心と樹脂との回転方向の強度不足や磁気的アンバランスによる振動発生を低減することができる。
【図面の簡単な説明】
【００１４】
【図１】本発明のモータの断面図である。
【図２】本発明の回転子の図３に対するＡ−Ｂ断面図である。
【図３】本発明の回転子の出力側平面図である。
【図４】本発明の極数、スロット数、突起数の相関表である。
【発明を実施するための形態】
【００１５】
本発明の実施例について、図１〜４を用いて説明する。
【００１６】
図１記載の本発明のモータ１は、直流ブラシレスモータである。固定子２は、ドーナツ形状の鋼板を積層した固定子鉄心３に、絶縁体４が施され、その絶縁体４に巻線５が巻装されたものである。本発明のモータ１を駆動させるための駆動回路を備える回路基板６は、前記絶縁体４に設けられた取付ピン等によって固定子２に取り付けられている。そして、固定子２と回路基板６はモールド樹脂によって覆われ、モータフレーム７と一体に形成されている。
【００１７】
前記モータフレーム７の内周に配された回転子８は、回転軸９と後述する回転磁石１０とが一体に形成されている。回転軸９の前後には軸受１１が取り付けられている。そして、前記モータフレーム７に取り付けられた軸受ブラケット１２ａに一方の軸受１１ａが嵌合され、もう一方の軸受１１ｂは軸受ブラケット１２ｂに嵌合されることにより、回転子８は両側で軸支される。回転軸９の出力側にはファンなどが取り付けられる。
【００１８】
図２より本発明の回転子８について説明する。本発明の回転子８は、回転軸９に鋼板を積層した回転子鉄心１３が嵌着し、エラストマーが配合されたプラスチック樹脂性磁石で形成されることにより、回転磁石１０が回転子鉄心１３と一体になる。
【００１９】
本発明の回転子８の製造方法は、回転軸９に回転子鉄心１３を嵌着させたものを射出成形型に収納し、軟化しているエラストマー配合プラスチック樹脂性磁石を金型に流し込むことにより一体に形成される。形成された回転磁石１０は着磁により等配に磁極が形成される。
【００２０】
図３より回転軸９に嵌着された前記回転子鉄心１３の形状は、同心円状の基部１４に外方向に向って複数の突起１５が等配に形成されている。また、各突起１５と基部１４の間には孔１６が設けられ、成形時にエラストマー配合プラスチック樹脂性磁石が孔１６に入り込むことで、回転子鉄心１３と回転磁石１０がより一層固着し、また回転子鉄心１３の積層ずれに対しても強くなる。
【００２１】
このようにエラストマー配合プラスチック樹脂性磁石で形成された回転磁石１０を回転子鉄心１３に一体に形成することで、従来では回転により発生する力に対して弱かったものが強度補正され、回転子が振動するなどの問題が解消されることになる。
【００２２】
本発明の突起１５の数は、図４に示すように、回転子の極数及び固定子のスロット数の関係から、４を超える素数となっている。
【００２３】
突起の数を図４のような範囲にしたのは、通電方式による固有振動数などに悪影響の無い範囲を選んでいる。通電方式による影響により突起１５の持つ固有振動に影響を与え、共振が起こる可能性がある。そのため、２の倍数ではＮ・Ｓ２つの磁極による影響、３の倍数では３相１２０°通電による影響が考えられるため、４を超える素数としている。
【産業上の利用可能性】
【００２４】
本発明のモータ用回転子は、低騒音、低振動の効果がありブラシレスモータ全般に有効であるが、特に低騒音の要求が高い、家庭で使用するエアコン、空気清浄器、除湿器、加湿器などに使用すると特に有効である。
【符号の説明】
【００２５】
１    モータ
２    固定子
３    固定子鉄心
４    絶縁体
５    巻線
６    回路基板
７    モータフレーム
８    回転子
９    回転軸
１０  回転磁石
１１  軸受
１２  軸受ブラケット
１３  回転子鉄心
１４  基部
１５  突起
１６  孔
【図１】
2011015453.tif 000003
【図２】
2011015453.tif 000004
【図３】
2011015453.tif 000005
【図４】
2011015453.tif 000006